(57)【要約】【課題】人手による清掃によらずに、リム部の飛散防止面に付着した汚れを除去することができる便器装置を提供する。【解決手段】便器装置は、ボウル面２０を有するボウル部２と、ボウル部２の上端部に設けられる平面視において環状またはＣ字状をしたリム部３と、を備える。便器装置１は、洗浄水を吐出するノズル４と、ノズル４に付随して設けられ、ノズル４の向きを変えるノズル駆動部４１を備える。リム部３は、ボウル面２０の上端部から平面視においてボウル部２の中央側に突出して下側を向く飛散防止面３２を有する。ノズル駆動部４１は、ノズル４がボウル面２０に向けて洗浄水を吐出する向きと、ノズル４が飛散防止面３２に向けて洗浄水を吐出する向きとの間でノズル４の向きを可変とする。【選択図】図８
2018053679.tif 000002
【特許請求の範囲】
【請求項１】
汚物および洗浄水を受けるボウル面を有するボウル部と、
前記ボウル部の上端部に設けられる平面視において環状またはＣ字状をしたリム部と、
洗浄水を吐出するノズルと、
前記ノズルに付随して設けられ、前記ノズルの向きを変えるノズル駆動部とを備え、
前記リム部は、前記ボウル面の上端部から平面視において前記ボウル部の中央側に突出して下側を向く飛散防止面を有し、
前記ノズル駆動部は、前記ノズルが前記ボウル面に向けて洗浄水を吐出する向きと、前記ノズルが前記飛散防止面に向けて洗浄水を吐出する向きとの間で前記ノズルの向きを可変とすることを特徴とする便器装置。
【請求項２】
前記ノズルおよび前記ノズル駆動部の組を複数組備えることを特徴とする請求項１記載の便器装置。
【請求項３】
前記ノズルとは別に、前記飛散防止面に向けて洗浄水を吐出する固定ノズルを備えることを特徴とする請求項１または２記載の便器装置。
【発明の詳細な説明】
【技術分野】
【０００１】
本発明は、便器装置に関するものである。
【背景技術】
【０００２】
従来、汚物および洗浄水を受けるボウル部と、ボウル部の上端部に設けられるリム部と、ボウル部に向けて洗浄水を吐出するノズルと、を備える便器装置が知られている（例えば特許文献１参照）。リム部は、下面が、ボウル部の上端部からボウル部の中央側に突出して下側を向く飛散防止面となっている。
【先行技術文献】
【特許文献】
【０００３】
【特許文献１】特開２００４−１１４１４号公報
【発明の概要】
【発明が解決しようとする課題】
【０００４】
特許文献１に示される便器装置にあっては、ノズルからボウル部に向けて洗浄水が吐出されるが、リム部の下面である飛散防止面には洗浄水が流れない。このため、飛散防止面に付着した汚れは、人手による清掃によらなければ除去できないものであった。
【０００５】
本発明は上記従来の問題点に鑑みて発明したものであって、その目的とするところは、人手による清掃によらずに、リム部の飛散防止面に付着した汚れを除去することができる便器装置を提供することにある。
【課題を解決するための手段】
【０００６】
上記課題を解決するために、本発明の一形態に係る便器装置は、汚物および洗浄水を受けるボウル面を有するボウル部と、前記ボウル部の上端部に設けられる平面視において環状またはＣ字状をしたリム部と、を備える。
【０００７】
便器装置は、洗浄水を吐出するノズルと、前記ノズルに付随して設けられ、前記ノズルの向きを変えるノズル駆動部を備える。
【０００８】
前記リム部は、前記ボウル面の上端部から平面視において前記ボウル部の中央側に突出して下側を向く飛散防止面を有する。
【０００９】
前記ノズル駆動部は、前記ノズルが前記ボウル面に向けて洗浄水を吐出する向きと、前記ノズルが前記飛散防止面に向けて洗浄水を吐出する向きとの間で前記ノズルの向きを可変とする。
【発明の効果】
【００１０】
本発明の一形態に係る便器装置にあっては、ノズルが飛散防止面に向けて洗浄水を吐出する向きとなる状態でノズルより洗浄水を吐出することで、飛散防止面を流れる洗浄水が飛散防止面に付着している汚れを除去する。このため、人手による清掃によらずに、リム部の飛散防止面に付着した汚れを除去することができる。
【図面の簡単な説明】
【００１１】
【図１】図１は、本発明の第１実施形態に係る便器装置の右方より見た断面図である。
【図２】図２は、同上の便器装置の前方より見た断面図である。
【図３】図３は、同上の便器装置の全体斜視図である。
【図４】図４は、同上の便器装置のボウル部の通常洗浄モード時における平面図である。
【図５】図５は、同上のボウル部の要部の通常洗浄モード時における斜視図である。
【図６】図６Ａは、同上のボウル部の要部の通常洗浄モード時における前方より見た断面図である。図６Ｂは、同上のボウル部の要部の通常洗浄モード時における右方より見た断面図である。
【図７】図７は、同上の便器装置の制御系統のブロック図である。
【図８】図８Ａは、同上のボウル部の要部のリム洗浄モード時における前方より見た断面図である。図８Ｂは、同上のボウル部の要部のリム洗浄モード時における右方より見た断面図である。
【図９】図９は、同上の便器装置のボウル部のリム洗浄モード時における平面図である。
【図１０】図１０は、本発明の第２実施形態に係る便器装置の平面図である。
【図１１】図１１は、本発明の第３実施形態に係る便器装置の平面図である。
【図１２】図１２Ａは、本発明の変形例１に係るノズルおよびノズル駆動部の側面図である。図１２Ｂは、同上ノズルおよびノズル駆動部の下面図である。
【図１３】図１３は、同上ノズルおよびノズル駆動部の図１２Ａとは異なる状態における側面図である。
【図１４】図１４Ａは、本発明の変形例２に係るノズルおよびノズル駆動部の側面図である。図１４Ｂは、同上ノズルおよびノズル駆動部の下面図である。
【図１５】図１５は、同上ノズルおよびノズル駆動部の図１４Ａとは異なる状態における側面図である。
【図１６】図１６は、本発明の変形例３に係るノズルおよびノズル駆動部近辺のボウル部の平面図である。
【図１７】図１７は、同上ノズルおよびノズル駆動部の斜視図である。
【発明を実施するための形態】
【００１２】
本発明は、便器装置に関し、詳しくは、ボウル部と、ボウル部の上端部に設けられるリム部と、洗浄水を吐出するノズルおよびノズル駆動部と、その制御部と、を備える便器装置に関するものである。
【００１３】
第１実施形態の便器装置１について、図１〜図９に基いて説明する。
【００１４】
図１〜図３に示すように、便器装置１は、ボウル部２と、リム部３と、を備える。
【００１５】
ボウル部２は、その内面が、汚物および洗浄水を受けるボウル面２０となるもので、上方に開口する。ボウル部２の底部２１の後部には排水口部２２が設けられる。ここで、前後左右について、図１〜図３に示すように定義する。すなわち、便座に座る使用者の向きが設計上想定されており、この便座に座った使用者が向く方を前方とする。前方に対して後方、左方、右方が定まる。
【００１６】
排水口部２２は、図１に示すように、縦筒部２２１の後部に横筒部２２２が接続されて内部空間が連続するように一体に形成された、筒状の部材である。排水口部２２の上流端となる縦筒部２２１の上端開口２２０が、ボウル部２の底部２１に上方に向けて開口している。排水口部２２の下流端となる横筒部２２２の後端開口が、後方に向けて開口している。
【００１７】
図示しないが、横筒部２２２の後端には、筒状をした可動トラップ装置の軸方向の一端（基端）が接続される。可動トラップ装置は、ゴム、樹脂等により形成される変形可能なトラップ筒を有する。
【００１８】
トラップ筒は、モータにより、先端の位置および向きが変化する。トラップ筒の先端が上位置に位置するとともに先端開口が上方を向く姿勢で、トラップを構成し、ボウル部２内に溜水が形成可能となる。また、トラップ筒の先端が下位置に位置するとともに先端開口が下方を向く姿勢で、ボウル部２内の溜水が汚物とともに排出可能となる。
【００１９】
なお、このような可動トラップ装置が設けられる必要はなく、横筒部２２２の後端に固定的なトラップ筒が接続されるものであってもよい。
【００２０】
ボウル部２の上端部には、リム部３が設けられている。リム部３は、平面視において環状をしており、その内端縁がボウル部２の上端部よりも内側に位置している。リム部３の上面３１には、便座が載置される。
【００２１】
さらに第１実施形態では、図１、図２に示すように、リム部３に樹脂からなるスカート部１１が一体に固着されている。スカート部１１は、ボウル部２の前方、左方、右方を覆う。第１実施形態では、ボウル部２、リム部３およびスカート部１１が一体に形成されて、便器装置１が構成されている。
【００２２】
さらに第１実施形態では、図示しないが、樹脂により一体に形成されているボウル部２、リム部３およびスカート部１１を補助的に支持する金属製のフレーム部が設けられている。
【００２３】
図３に、便器ユニット１０を示す。便器ユニット１０は、後部１２に、脱臭装置、局部洗浄装置といった各種装置を備えている。
【００２４】
図４、図５に示すように、ボウル部２は、ボウル面２０上縁に、周方向に通水された洗浄水をボウル面２０上縁に沿って流す通水面２３を備える。通水面２３は、平面視において環状をしており、周方向に通水された洗浄水を載せた状態でボウル面２０上縁に沿って旋回させる。
【００２５】
図６Ａに示すように、通水面２３の傾斜２３２の角度θ１（水平方向に対する角度）は、ボウル面２０のうち通水面２３の直下の部分２０１の傾斜の角度θ２よりも小さい。ここで、傾斜２３２とは、ボウル部２の中央側に向けて下り勾配となる傾斜を意味する。
【００２６】
具体的には、傾斜２３２の角度θ１は５°〜２５°程度、通水面２３の直下の部分２０１の傾斜の角度θ２は、３０°〜６０°程度である。なお、角度θ１、角度θ２の数値は特に限定されない。
【００２７】
図１、図２に示すように、ボウル面２０のうち、通水面２３の上側が側壁面２０２となっている。また、側壁面２０２と連続する飛散防止面３２がリム部３に形成される。飛散防止面３２は、平面視において、ボウル面２０の上端部からボウル部２の中央側に突出して下側を向く、平面視において環状をしたものである。
【００２８】
飛散防止面３２がボウル面２０の上端部からボウル部２の中央側に突出していることにより、ボウル部２の上端部の周縁部においてボウル部２の上方に水が飛散するのが防止される。
【００２９】
ボウル部２は、図４、図５に示すように、通水面２３の周方向の一部に位置して、洗浄水を周方向に通水する通水開口２４を備える。第１実施形態では、通水開口２４は、通水面２３の右側の後端部に設けられている。通水開口２４は、前側の通水面２３に沿う方向に向けて開口する。
【００３０】
図４、図５、図６Ａ、図６Ｂに示すように、第１実施形態では、ボウル面２０の右側の後端部に目隠し壁２５が設けられ、目隠し壁２５の前端と側壁面２０２との間に通水開口２４が形成される。目隠し壁２５と側壁面２０２の間の部分に、洗浄水を吐出するノズル４が設けられる。目隠し壁２５は、ノズル４が露出しないようにするために設けられる。
【００３１】
ノズル４は、樹脂またはゴム等の材質により構成される。ノズル４の上流端は、水道等の水源に接続される。
【００３２】
ノズル４は、先端が通水開口２４よりも後方に位置するように設けられる。これにより、目隠し壁２５による目隠しがなされて、通水開口２４からノズル４は露出せず容易には見えない。
【００３３】
ノズル４の後部には、ノズル４に付随して設けられるノズル駆動部４１が設けられる。ノズル駆動部４１は、ノズル４の向きを変えるものである。
【００３４】
第１実施形態では、ノズル４は、ゴム等の容易に変形する部材で形成される。ノズル駆動部４１は、モータを備え、モータの出力軸に連結されたアームがノズル４の一部を把持している。そして、モータの出力軸およびアームの回転に伴い、ノズル４の先端の位置および向きが変更される。
【００３５】
ノズル４の後部には、ノズル４からの洗浄水の吐出と停止を切り替える栓装置４２（図７参照）が設けられる。栓装置４２としては、例えば電磁弁が好適に用いられるが、このような栓装置４２としては周知の技術が適宜利用可能であり、特に限定されない。
【００３６】
図７に示すように、便器装置１は、制御部５を備える。制御部５は、ノズル４からの洗浄水の吐出、停止およびノズル駆動部４１によるノズル４の向きの変更を制御するものである。具体的には、制御部５は、栓装置４２およびノズル駆動部４１を制御する。
【００３７】
制御部５は、通常洗浄モードと、リム洗浄モードと、をそれぞれ実行可能である。
通常洗浄モードは、ノズル４がボウル面２０に向けて洗浄水を吐出するように制御するモードである。リム洗浄モードは、ノズル４が飛散防止面３２に向けて洗浄水を吐出するように制御するモードである。まず、通常洗浄モードについて説明する。
【００３８】
制御部５は、ノズル４が図４、図５、図６Ａ、図６Ｂに示すような通常洗浄モード用の向きとなるようにノズル駆動部４１を駆動させる。
【００３９】
図４に示すように、洗浄水は、まず、ノズル４の吐出口４０より前方のボウル面２０に向けて吐出する。洗浄水は、基本的には飛散防止面３２には流れないが、若干流れても構わない。吐出口４０より吐出した洗浄水は、通水面２３に沿って周方向に流れる。通水面２３は、流れ方向に沿って、下流側に向けて下り勾配となる傾斜を有している。
【００４０】
通水面２３に沿って流れる洗浄水は、通水面２３の傾斜２３２により、ボウル部２の中央側に向けて少しずつ流下し、旋回しながらボウル面２０全体を排水口部２２に向けて流れる。これにより、ボウル面２０の全体が洗浄水によって洗浄される。
【００４１】
ノズル４が通常洗浄モード用の向きとなると、図６Ｂに示すように、この通水面２３の下流側に向けて下り勾配となる傾斜に合わせて、ノズル４の吐出口４０からの吐出方向４０１が決まる。第１実施形態では、吐出方向４０１は、水平方向より５°〜２０°下方を向いているが、特にこの角度に限定されない。
【００４２】
また第１実施形態では、ノズル４が通常洗浄モード用の向きとなる時には、図４に示すように、平面視におけるノズル４の吐出口４０からの吐出方向４０２がほぼ前方を向いているが、吐出方向４０２がどの方向を向くかは特に限定されない。
【００４３】
次に、リム洗浄モードについて説明する。
【００４４】
制御部５は、ノズル４が図８Ａ、図８Ｂに示すようなリム洗浄モード用の向きとなるようにノズル駆動部４１を駆動させる。
【００４５】
洗浄水は、平面視においては、図４に示すように、ノズル４の吐出口４０からの吐出方向４０２は前方を向いている。このとき、上下方向においては、図８Ａ、図８Ｂに示すように、ノズル４の吐出口４０からの吐出方向４０１が、洗浄水が飛散防止面３２に向けて吐出するように、通常洗浄モード時よりも上側を向いている。第１実施形態では、吐出方向４０１は、水平方向より５°〜１０°上方を向いているが、特にこの角度に限定されない。
【００４６】
吐出口４０より吐出した洗浄水は、飛散防止面３２に吐出され、飛散防止面３２に沿って周方向に流れる。なお、吐出口４０より吐出した洗浄水は、飛散防止面３２に到達するまでに側壁面２０２を流れてもよい。
【００４７】
また第１実施形態では、リム洗浄モード時における平面視におけるノズル４の吐出口４０からの吐出方向４０２が、図４に示すように前方を向くのではなく、図９に示すように前方よりも若干右側に傾斜してもよく、吐出方向４０２がどの方向を向くかは特に限定されない。
【００４８】
第１実施形態では、リム洗浄モードにおいて飛散防止面３２を流れる洗浄水が、平面視において飛散防止面３２の全周または周方向の一部に流れ、飛散防止面３２に付着している汚れを洗い流して除去する。この結果、人手による清掃を行うことなく、飛散防止面３２に付着した汚れを除去することが可能となる。  
【００４９】
リム洗浄モードは、手動または自動により実行される。
【００５０】
手動でリム洗浄モードが実行される場合、例えば、便器装置１はスイッチ等の操作部を備え、使用者が操作部を操作したときにリム洗浄モードが実行される。
【００５１】
また、自動でリム洗浄モードが実行される場合、例えば、通常洗浄モードの直前または直後にリム洗浄モードが実行される。また、リム洗浄モードが、通常洗浄モードとは関係なく定期的に（ただし通常洗浄モードが実行されているときを除く）実行されてもよい。
【００５２】
上記のようなリム洗浄モードの実行方法は一例であって、これらに限定されるものではない。
【００５３】
次に、第２実施形態の便器装置１について、図１０に基いて説明する。なお、第２実施形態の便器装置１は、大部分において第１実施形態の便器装置１と同じであるため、同じ部分については同符号を付して説明を省略し、主に異なる部分について説明する。
【００５４】
第１実施形態の便器装置１は、一組のノズル４およびノズル駆動部４１を備えるものであったのに対し、第２実施形態の便器装置１は、ノズル４およびノズル駆動部４１の組を複数組備える点で異なる。
【００５５】
図１０に示すように、便器装置１は、平面視において環状をした通水面２３の周方向に二組のノズル４およびノズル駆動部４１を備えている。一組目のノズル４Ａおよびノズル駆動部４１Ａは、第１実施形態の便器装置１のノズル４およびノズル駆動部４１と全く同じであり、説明は省略する。
【００５６】
二組目のノズル４Ｂおよびノズル駆動部４１Ｂは、第１実施形態の便器装置１のノズル４およびノズル駆動部４１とは配置される位置が異なり、他の点は同じである。
【００５７】
ノズル４Ｂおよびノズル駆動部４１Ｂは、便器装置１の前端部付近の飛散防止面３２または側壁面２０２に固定される。また、ノズル４Ｂに洗浄水を送るための管は、リム内空間３０（図１、図６等参照）に配置され、リム部３の下壁部（飛散防止面３２を下面として有する壁部）に形成された貫通孔を通してノズル４Ｂに接続される。
【００５８】
リム洗浄モードにおいてノズル４Ａより吐出される洗浄水は、飛散防止面３２を周方向に流れるものの、飛散防止面３２の全周を流れにくく、周方向の一部を流れたところでボウル面２０へと流下する。このため、第２実施形態では、ノズル４Ａより吐出される洗浄水が到達しない飛散防止面３２に、ノズル４Ｂより吐出される洗浄水を到達させている。
【００５９】
これにより、飛散防止面３２において、洗浄水が到達しない部分が発生するのを抑えることができる。
【００６０】
次に、第３実施形態の便器装置１について、図１１に基いて説明する。なお、第３実施形態の便器装置１は、大部分において第１実施形態の便器装置１と同じであるため、同じ部分については同符号を付して説明を省略し、主に異なる部分について説明する。
【００６１】
第１実施形態の便器装置１は、ノズル４およびノズル駆動部４１を備えるものであったのに対し、第２実施形態の便器装置１は、これに加えて、ノズル４とは別に、飛散防止面３２に向けて洗浄水を吐出する固定ノズル６を備える点で異なる。
【００６２】
図１１に示すように、固定ノズル６は、便器装置１の前端部付近の飛散防止面３２または側壁面２０２（図１、図６参照）に固定される。固定ノズル６は、ノズル４と同様のものであるが、ノズル駆動部により駆動されるものではなく、固定ノズル６の向きを変えることはできない。固定ノズル６の向きは、ノズル４の通常洗浄モード用の向きと同様に、飛散防止面３２に向けて洗浄水を吐出する向きとなる。
【００６３】
また、固定ノズル６に洗浄水を送るための管は、リム内空間３０に配置され、リム部３の下壁部に形成された貫通孔を通して固定ノズル６に接続される。
【００６４】
第３実施形態では、リム洗浄モードにおいて固定ノズル６より吐出される洗浄水は、飛散防止面３２を周方向に流れるものの、飛散防止面３２の全周を流れにくく、周方向の一部を流れたところでボウル面２０へと流下する。このため、固定ノズル６より吐出される洗浄水が到達しない飛散防止面３２に、固定ノズル６より吐出される洗浄水を到達させる。
【００６５】
これにより、飛散防止面３２において、洗浄水が到達しない部分が発生するのを抑えることができる。
【００６６】
なお、通常洗浄モードにおいては、ノズル４より吐出される洗浄水が通水面２３の全周を流れるため、固定ノズル６から洗浄水を吐出しない。
【００６７】
このため、ノズル４およびノズル駆動部４１を一組のみ設け、残りをノズル４およびノズル駆動部４１ではなく固定ノズル６のみ設ければよい。この結果、簡単な構成とすることができ、コスト削減が図られる。
【００６８】
以下、第１実施形態〜第３実施形態における便器装置１の変形例について説明する。
【００６９】
ボウル部２、リム部３およびスカート部１１の材質は樹脂に限定されない。また、スカート部１１は特に設けられなくてもよい。
【００７０】
また、フレーム部は特に設けられなくてもよい。
【００７１】
また、リム部３（飛散防止面３２を含む）は、平面視においてＣ字状をしてもよい。
【００７２】
また、便器ユニット１０は、脱臭装置、局部洗浄装置といった各種装置を備えなくてもよい。すなわち、便器ユニット１０は、少なくとも便器装置１を備えればよい。
【００７３】
また、通水面２３は、平面視においてＣ字状をしてもよい。すなわち、リム部３が平面視においてＣ字状をしていれば、通水面２３もリム部３と同様に平面視においてＣ字状をする。
【００７４】
また、ノズル４およびノズル駆動部４１の変形例につき説明する。ノズル４は、ゴム等の容易に変形する部材ではなく、硬質の樹脂等の容易には変形しない部材で形成される。ノズル４の吐出口４０から上流側に所定の距離までの部分が、さらにその上流側の部分に対して軸方向（流れ方向）まわりに回転可能となる可動部となる。可動部の先端部（吐出口４０を含む部分）の軸方向（流れ方向）が、可動部の基部の軸方向（流れ方向）に対して傾斜する。
【００７５】
図１２および図１３に示す変形例１では、便器装置１に、モータからなるノズル駆動部４１が設けられる。ノズル駆動部４１は、ボウル部２に対して位置および向きが固定される。モータからなるノズル駆動部４１の出力軸４１０は、ノズル４に一体に固定されている。
【００７６】
ノズル４の上流端は、蛇腹等の容易に変形するフレキシブル管４３１が接続されている。フレキシブル管４３１の上流端は、樹脂または金属等からなる容易には変形しない管４４が接続されている。ノズル４は、その向きが管４４に対して変更可能なように、フレキシブル管４３１を介して管４４に接続されている。
【００７７】
例えば図１２Ａに示す状態において、ノズル駆動部４１が駆動することにより出力軸４１０が回転すると、図１３に示すように、出力軸４１０に一体に固定されているノズル４が動き、ノズル４からの洗浄水の吐出方向が変わる。
【００７８】
図１４および図１５に示す変形例２では、便器装置１にモータからなるノズル駆動部４１が設けられる点、ノズル４がフレキシブル管４３１を介して管４４に接続される点では変形例１と同様である。
【００７９】
変形例２では、変形例１のようにノズル駆動部４１の出力軸４１０がノズル４に一体に固定されてはいない。変形例２では、出力軸４１０に一体にアーム４１１が設けられている。アーム４１１の先端部には、ノズル４を保持するホルダー４１２が設けられている。
【００８０】
例えば図１４Ａに示す状態において、ノズル駆動部４１が駆動することにより出力軸４１０が回転すると、図１５に示すように、出力軸４１０に一体に設けられているアーム４１１が回転する。アーム４１１が回転すると、この先端部のホルダー４１２に保持されているノズル４も回転して、ノズル４からの洗浄水の吐出方向が変わる。
【００８１】
図１６および図１７に示す変形例３では、便器装置１に、モータからなるノズル駆動部４１が設けられる。ノズル駆動部４１は、ボウル部２に対して位置および向きが固定される。モータからなるノズル駆動部４１の出力軸には、外周面に歯を有するギア４１３が一体に固定されている。
【００８２】
変形例３では、変形例１および変形例２のようなフレキシブル管４３１が設けられておらず、かわりに、管４４に対して回転可能となるように管４４に接続され、外周面に歯を有してギア４１３に噛み合うギア筒４３２が設けられる。ギア筒４３２は、その上流端が管４４に接続され、その下流端にはノズル４が一体に設けられており、ギア筒４３２の内部とノズル４の内部は通じている。ノズル４からの洗浄水の吐出方向は、ギア筒４３２の回転軸の方向に対して傾斜している。
【００８３】
ノズル駆動部４１が駆動することにより出力軸が回転すると、出力軸に一体に設けられているギア４１３が回転する。ギア４１３が回転すると、ギア４１３と噛み合うギア筒４３２が回転し、ギア筒４３２が回転するとギア筒４３２に一体に設けられているノズル４が回転する。ノズル４が回転すると、ギア筒４３２の回転軸の方向に対して傾斜しているノズル４からの洗浄水の吐出方向が変わる。
【００８４】
このようなノズル４およびノズル駆動部４１には、周知の技術が適宜利用可能であり、特に限定されない。
【００８５】
また、制御部５が設けられる箇所については特に限定されない。
【００８６】
以上、述べた第１実施形態〜第３実施形態およびその変形例から明らかなように、本発明に係る第１の態様の便器装置１は、汚物および洗浄水を受けるボウル面２０を有するボウル部２と、ボウル部２の上端部に設けられる平面視において環状またはＣ字状をしたリム部３と、を備える。
【００８７】
便器装置１は、洗浄水を吐出するノズル４と、ノズル４に付随して設けられ、ノズル４の向きを変えるノズル駆動部４１を備える。
【００８８】
リム部３は、ボウル面２０の上端部から平面視においてボウル部２の中央側に突出して下側を向く飛散防止面３２を有する。
【００８９】
ノズル駆動部４１は、ノズル４がボウル面２０に向けて洗浄水を吐出する向きと、ノズル４が飛散防止面３２に向けて洗浄水を吐出する向きとの間でノズル４の向きを可変とする。
【００９０】
第１の態様によれば、ノズル４が飛散防止面３２に向けて洗浄水を吐出する向きとなる状態でノズル４より洗浄水を吐出することで、飛散防止面３２を流れる洗浄水が飛散防止面３２に付着している汚れを除去する。このため、人手による清掃によらずに、リム部３の飛散防止面３２に付着した汚れを除去することができる。
【００９１】
本発明に係る第２の態様の便器装置１は、第１の態様との組み合わせにより実現される。第２の態様の便器装置１は、ノズル４およびノズル駆動部４１の組を複数組備える。
【００９２】
第２の態様によれば、飛散防止面３２において、洗浄水が到達しない部分が発生するのを抑えることができる。
【００９３】
本発明に係る第３の態様の便器装置１は、第１の態様または第２の態様との組み合わせにより実現される。第３の態様の便器装置１は、ノズル４とは別に、飛散防止面３２に向けて洗浄水を吐出する固定ノズル６を備える。
【００９４】
第３の態様によれば、簡単な構成で、飛散防止面３２において、洗浄水が到達しない部分が発生するのを抑えることができる。
【符号の説明】
【００９５】
１  便器装置
２    ボウル部
２０  ボウル面
３    リム部
３２  飛散防止面
４    ノズル
４１  ノズル駆動部
５    制御部
６    固定ノズル
【図１】
2018053679.tif 000003
【図２】
2018053679.tif 000004
【図３】
2018053679.tif 000005
【図４】
2018053679.tif 000006
【図５】
2018053679.tif 000007
【図６】
2018053679.tif 000008
【図７】
2018053679.tif 000009
【図８】
2018053679.tif 000010
【図９】
2018053679.tif 000011
【図１０】
2018053679.tif 000012
【図１１】
2018053679.tif 000013
【図１２】
2018053679.tif 000014
【図１３】
2018053679.tif 000015
【図１４】
2018053679.tif 000016
【図１５】
2018053679.tif 000017
【図１６】
2018053679.tif 000018
【図１７】
2018053679.tif 000019